(57)【要約】【課題】電解促進錠剤の粉によって、投入機構部の可動性が低下することを抑制できる電解水生成装置を提供することを目的とする。【解決手段】回転体１３は略円板形状で周面１８に内方へ窪んだ穴部１７を備え、連通管１０の下端には開口である下端開口１５を備え、下端開口１５は周面１８の上方に所定の距離を有して配置されている。回転機構１２によって回転体１３が回転し、下端開口１５の下方に回転体１３の穴部１７が位置すると、穴部１７が上方へ開口し、下端開口１５から１つ目の電解促進錠剤１１Ａが穴部１７に入り、回転体１３が更に回転し、穴部１７が下方へ開口すると、穴部１７から１つ目の電解促進錠剤１１Ａが水槽に落下することを特徴とする。【選択図】図５
2017170316.tif 000002
【特許請求の範囲】
【請求項１】
水を貯水する水槽と、
前記水槽に設けた電解ユニットと、
前記水槽に電解促進錠剤を入れる錠剤投入機構とを備え、
前記錠剤投入機構は、
前記水槽より上方に回転自在に設けられた回転体と、
前記回転体を回転させる回転機構と、
上下方向に延びた、上端開口と、下端開口とを備えた連通管と、
前記連通管内に積層した複数の前記電解促進錠剤とを備え、
前記回転体は略円板形状で、前記回転体の周面に内方へ窪んだ穴部を備え、
前記下端開口は前記回転体の前記周面の上方に所定の距離を有して配置され、
前記回転機構によって前記回転体が回転し、
前記下端開口の下方に前記回転体の前記穴部が位置すると、
前記下端開口から１つ目の前記電解促進錠剤が前記穴部に入り、
前記回転機構によって前記回転体が更に回転し、
前記穴部が下方へ開口すると、
前記穴部から前記１つ目の前記電解促進錠剤が前記水槽に落下することを特徴とする電解水生成装置。
【請求項２】
前記回転機構はモータであり、
前記モータの回転軸は、
前記回転体の回転軸上で前記回転体に装着され、
前記回転体は、
前記回転体の前記周面における前記モータ側の外周縁側から前記回転体の中心から外周方向に延びた環状の第１のフランジ部を設け、
前記第１のフランジ部は前記モータと前記連通管との間に配置されたことを特徴とする請求項１に記載の電解水生成装置。
【請求項３】
前記回転体は、
前記回転体の前記周面における前記モータの反対側の外周縁側から前記回転体の中心から外周方向に延びた第２のフランジ部を設け、
前記連通管は前記第２のフランジ部と前記第１のフランジ部との間に配置されたことを特徴とする請求項２に記載の電解水生成装置。
【請求項４】
前記連通管の外面に接触部を備え、
前記接触部は、
前記回転体の前記回転軸が水平になるように前記第１のフランジ部の内面または前記第２のフランジ部の内面と接触することを特徴とする請求項３に記載の電解水生成装置。
【発明の詳細な説明】
【技術分野】
【０００１】
本発明は、水または希薄塩水を被電解水とする電解水生成装置に関する。
【背景技術】
【０００２】
従来、この種の電解水生成装置では、投入機構部を備えたものが知られている（例えば、特許文献１参照）。
【０００３】
以下、その電解水生成装置について図１０、１１を参照しながら説明する。
【０００４】
図１０、１１に示すように、水を電気化学的に処理する電極を備えた電解ユニット１００が配設される水槽１０１と、この水槽１０１に給水する給水タンク１０２と、水槽１０１に電解促進錠剤１０３を投入する投入機構部１０４とを有していた。投入機構部１０４は、電解促進錠剤１０３を内包したカートリッジ部１０５と、可動案内部材部１０６と、可動部材１０７とを備えている。カートリッジ部１０５から電解促進錠剤１０３が、可動案内部材部１０６の空洞部１０８に供給され、この空洞部１０８に供給された電解促進錠剤１０３は、空洞部１０８を摺動する可動部材１０７によって、水槽１０１へ押し出される。
【先行技術文献】
【特許文献】
【０００５】
【特許文献１】特開２０１３−５２３５５号公報
【発明の概要】
【発明が解決しようとする課題】
【０００６】
このような従来の電解水生成装置においては、電解促進錠剤を投入する場合に、電解促進錠剤は、カートリッジ内を下方へ移動し、カートリッジ部から可動案内部材部の空洞部に供給される。空洞部内に供給された電解促進錠剤は、空洞部を摺動する可動部材によって、水槽へ押し出される。電解促進錠剤は、カートリッジ部内と空洞部内とを、摺動しながら移動する。
【０００７】
これにより、電解促進錠剤は、カートリッジ部内面および空洞部内面と擦れ合い、電解促進錠剤の粉が生じ、電解促進錠剤の粉が空洞部内に溜ると、空洞部と可動案内部材部との間に粉が入り込み、可動案内部材部の可動性が低下することが考えられる。
【０００８】
そこで本発明は、上記従来の課題を解決するものであり、電解促進錠剤を水槽へ投入する場合に、電解促進錠剤の粉によって、投入機構部の可動性が低下することを抑制できる電解水生成装置を提供することを目的とする。
【課題を解決するための手段】
【０００９】
そして、この目的を達成するために、本発明は、水を貯水する水槽と、前記水槽に設けた電解ユニットと、前記水槽に電解促進錠剤を入れる錠剤投入機構とを備え、前記錠剤投入機構は、前記水槽より上方に回転自在に設けられた回転体と、前記回転体を回転させる回転機構と、上下方向に延びた、上端開口と、下端開口とを備えた連通管と、前記連通管内に積層した複数の前記電解促進錠剤とを備え、前記回転体は略円板形状で、前記回転体の周面に内方へ窪んだ穴部を備え、前記下端開口は前記回転体の前記周面の上方に所定の距離を有して配置され、前記回転機構によって前記回転体が回転し、前記下端開口の下方に前記回転体の前記穴部が位置すると、前記下端開口から１つ目の前記電解促進錠剤が前記穴部に入り、前記回転機構によって前記回転体が更に回転し、前記穴部が下方へ開口すると、前記穴部から前記１つ目の前記電解促進錠剤が前記水槽に落下することを特徴とするものであり、これにより所期の目的を達成するものである。
【発明の効果】
【００１０】
本発明によれば、水を貯水する水槽と、前記水槽に設けた電解ユニットと、前記水槽に電解促進錠剤を入れる錠剤投入機構とを備え、前記錠剤投入機構は、前記水槽より上方に回転自在に設けられた回転体と、前記回転体を回転させる回転機構と、上下方向に延びた、上端開口と、下端開口とを備えた連通管と、前記連通管内に積層した複数の前記電解促進錠剤とを備え、前記回転体は略円板形状で、前記回転体の周面に内方へ窪んだ穴部を備え、前記下端開口は前記回転体の前記周面の上方に所定の距離を有して配置され、前記回転機構によって前記回転体が回転し、前記下端開口の下方に前記回転体の前記穴部が位置すると、前記下端開口から１つ目の前記電解促進錠剤が前記穴部に入り、前記回転機構によって前記回転体が更に回転し、前記穴部が下方へ開口すると、前記穴部から前記１つ目の前記電解促進錠剤が前記水槽に落下することを特徴とする。
【００１１】
このように、回転機構によって回転体が回転し、下端開口の下方に回転体の穴部が位置すると、連通管内で生じる電解促進錠剤の粉の多くは、電解促進錠剤と共に穴部に入る。更に、回転機構によって回転体が回転し、穴部が下方へ開口すると、電解促進錠剤と共に電解促進錠剤の粉も、水槽に落下する。これにより、電解促進錠剤の粉が、回転機構や回転体の可動部間に入り、可動性が低下することを抑制できる。
【図面の簡単な説明】
【００１２】
【図１】本発明の実施の形態１の電解水生成装置の斜視図
【図２】同電解水生成装置の内部を示す図
【図３】同電解水生成装置の水槽と電解ユニットと錠剤投入機構とを示す図
【図４】同電解水生成装置の水槽と電解ユニットと錠剤投入機構とを示す図
【図５】同電解水生成装置の錠剤投入機構を示す断面図
【図６】同電解水生成装置の錠剤投入機構を示す断面図
【図７】同電解水生成装置の錠剤投入機構を示す断面図
【図８】同電解水生成装置の錠剤投入機構を示す断面図
【図９】同電解水生成装置の錠剤投入機構の回転体と連通管とを示す断面図
【図１０】従来の電解水生成装置の構成を示す断面図
【図１１】従来の電解水生成装置の構成を示す斜視図
【発明を実施するための形態】
【００１３】
（実施の形態１）
図１は、本発明の実施の形態１に係る電解水生成装置の斜視図である。図２は、本発明の実施の形態１に係る電解水生成装置の内部を示す図である。図２は、主に水槽と電解ユニットと給水タンク部と錠剤投入機構とを示している。なお、図２の電解ユニットは、水槽内から上方へ移動した状態である。
【００１４】
図１、２に示すように、電解水生成装置１は機器のケース２内部に設けられるもので、水槽３と、電解ユニット４と、給水タンク部５と、水槽３に電解促進錠剤を入れる錠剤投入機構６とを備えている。
【００１５】
図３は、本発明の実施の形態１に係る電解水生成装置の水槽と電解ユニットと錠剤投入機構とを示す図である。図４は、本発明の実施の形態１に係る電解水生成装置の水槽と電解ユニットと錠剤投入機構とを示す図である。図４の電解ユニットは、電解ユニットの内部を示している。
【００１６】
図２、３、４に示すように、水槽３は、略椀形状で、給水タンク部５から給水された一定量の水槽水を貯水している。水槽３には、電解ユニット４と、給水タンク部５が配設されている。
【００１７】
電解ユニット４は、水槽水に第１の電極７、第２の電極（図示せず）を浸らせ、これら第１の電極７と第２の電極とに電圧を印加し、水槽水を電気化学的に処理するものである。
【００１８】
給水タンク部５は、水槽３の底面に設けられたタンク保持部８に装着されている。給水タンク部５は、水を貯水するタンク９と、タンクの開口（図示せず）に設けられた蓋（図示せず）とを備えている。蓋の中央には、開閉手段（図示せず）が設けられており、この開閉手段が開くと、タンク９内の水が、水槽３へ供給される。具体的には、タンク９の開口を下向きにして、給水タンク部５を水槽３のタンク保持部８に取り付けると、タンク保持部８によって開閉手段が開く。つまり、給水タンク部５に水を入れてタンク保持部８に取り付けると、開閉手段が開いて水槽３に給水され、水槽３内に水が溜まる。水槽水の水位が上昇して蓋のところまで到達すると、給水タンク部５の開口が水封されるので給水が停止し、給水タンク部５の内部には水が残り、水槽水の水位が下がった場合に都度、タンク９内部の水が水槽に給水される。即ち、水槽水の水位は一定に保たれる。
【００１９】
図５は、本発明の実施の形態１に係る電解水生成装置の錠剤投入機構を示す断面図である。図６は、本発明の実施の形態１に係る電解水生成装置の錠剤投入機構を示す断面図である。
【００２０】
図３、５、６に示すように、錠剤投入機構６は、水槽３の上方に配置され、連通管１０と、電解促進錠剤１１と、回転機構１２と、回転体１３とを備えている。
【００２１】
連通管１０は、上下方向に延びた管形状で、内部に電解促進錠剤１１が積層されている。連通管１０の上端には、開口である上端開口１４を備え、連通管の下端には、開口である下端開口１５を備えている。下端開口１５は、上下方向に開口している。
【００２２】
電解促進錠剤１１の移動方向に対する垂直面における連通管１０の断面形状は、電解促進錠剤１１の移動方向に対して垂直面における電解促進錠剤１１の断面形状とほぼ同じ形状であり、僅かに大きい。僅かに大きいので、電解促進錠剤１１と連通管１０との間に隙間を有し、電解促進錠剤１１は、連通管１０内を移動できる。また、電解促進錠剤１１の移動方向に対する垂直面における上端開口１４および下端開口１５の形状も、電解促進錠剤１１の移動方向に対して垂直面における電解促進錠剤１１の断面形状とほぼ同じ形状であり、僅かに大きい。
【００２３】
電解促進錠剤１１の形状の一例は、直径Ｄ１の円盤状の形状をしており、両端面の中心部を凸状に膨らませた形状で、その厚みはＨ１となる。上端開口１４、下端開口１５は、長方形で、長辺がＤ１より僅かに大きい寸法であり、短辺がＨ１より僅かに大きい寸法である。同様に、連通管１０の中心軸方向に対する垂直断面形状は、長方形で、長辺がＤ１より僅かに大きい寸法であり、短辺がＨ１より僅かに大きい寸法である。なお、電解促進錠剤１１の形状は、球状、カプセル状でも良い。
【００２４】
回転機構１２は、モータである。モータから延びた回転軸１６が、回転体１３における回転軸上に装着されている。
【００２５】
回転体１３は、水槽３より上方に回転自在に設けられている。回転体１３は、略円板形状で回転軸方向が水平方向に延び、円環形状の周面１８には内方（回転体の中心方向）へ窪んだ穴部１７を備えている。周面の上方には、下端開口１５が所定の距離を有して配置されている。回転体１３が回転し、穴部１７が最上点に位置すると、穴部１７と下端開口１５とが対向する構成である。穴部１７の開口縁は、回転方向に長い長方形で、下端開口１５の長方形より大きい。
【００２６】
以上の構成において、錠剤投入機構６の動作について説明する。図５、６に示すように、最初に、連通管１０の上端開口１４から連通管１０内へ電解促進錠剤１１を１つずつ挿入する。１つ目の電解促進錠剤１１Ａの上に、２つ目の電解促進錠剤１１Ｂが積み重ねられ、更に、２つ目の電解促進錠剤１１Ｂの上に、３つ目の電解促進錠剤１１Ｃが積み重ねられる。上端開口１４から順次、電解促進錠剤１１が入れられると、１つ前に入れられた電解促進錠剤１１の上に順次積み重ねられる。円盤状の電解促進錠剤１１は、円盤状の直径方向に積み重ねられ、電解促進錠剤１１における円環形状の周面同士が接触する。
【００２７】
次に、回転機構１２によって回転体１３が回転し、下端開口１５の下方に回転体１３の穴部１７が位置すると、穴部１７が上方へ開口し、下端開口１５から１つ目の電解促進錠剤が穴部１７に入る。この時に、連通管１０内で生じる電解促進錠剤１１の粉の多くは、電解促進錠剤１１と共に穴部に入る。この状態から、更に回転機構１２によって回転体１３が回転すると、図７の状態になる。
【００２８】
図７は、本発明の実施の形態１に係る電解水生成装置の錠剤投入機構を示す断面図である。
【００２９】
図７に示すように、更に回転機構１２によって回転体１３が回転すると、下端開口１５の下方に周面１８が位置する。ここで、下端開口１５から２つ目の電解促進錠剤１１Ｂの一部が突出し、２つ目の電解促進錠剤１１Ｂは周面１８上で保持される。２つ目の電解促進錠剤１１Ｂが連通管１０から突出している寸法は、２つ目の電解促進錠剤１１Ｂが連通管１０内に入っている寸法より小さい寸法である。更に回転機構１２によって回転体１３が回転すると、図８の状態になる。
【００３０】
図８は、本発明の実施の形態１に係る電解水生成装置の錠剤投入機構を示す断面図である。
【００３１】
更に回転機構１２によって回転体１３が回転すると、図８に示すように、穴部１７が下方へ開口し、穴部１７から１つ目の電解促進錠剤１１Ａが水槽３に落下する。このとき、２つ目の電解促進錠剤１１Ｂは周面１８上に保持された状態である。このように、回転機構１２によって回転体１３が回転し、穴部１７が下方へ開口すると、電解促進錠剤１１と共に電解促進錠剤１１の粉も、水槽３に落下する。これにより、電解促進錠剤１１の粉が、回転機構１２や回転体１３の可動部間に入り、可動性が低下することを抑制できる。
【００３２】
図９は、本発明の実施の形態１に係る電解水生成装置の錠剤投入機構の回転体と連通管とを示す断面図である。
【００３３】
また、図５、９に示すように、回転機構１２であるモータは、回転体１３の一方側の円面側に配置され、モータの回転軸１６は、回転体１３の回転軸上で回転体１３の一方側の円面の中心に装着されている。回転体１３は、回転体１３の周面１８におけるモータ側の外周縁２４から回転体の中心から外周方向に延びた環状の第１のフランジ部１９を設けている。第１のフランジ部１９は、モータと連通管１０との間に配置されている。つまり第１のフランジ部１９の上端は、連通管１０の下端開口１５より上方に配置されている。
【００３４】
これにより、回転機構１２によって回転体１３が回転し、下端開口１５の下方に回転体１３の穴部１７が位置すると、連通管１０内で生じる電解促進錠剤１１の粉の多くは、電解促進錠剤１１と共に穴部１７に入るが、穴部１７に入らなかった電解促進錠剤１１の粉も、第１のフランジ部１９によって、モータ側へ落下することを抑制できる。
【００３５】
また、回転体１３の他方側の円面の中心から外方に軸２０が延びている。この軸は、ケースに設けられた軸受け２１に、回転自在に装着されている。回転体１３は、回転体１３の周面におけるモータの反対側の外周縁２４から回転体１３の中心から外周方向に延びた環状の第２のフランジ部２２を設けている。連通管１０は第２のフランジ部２２と第１のフランジ部１９との間に配置されている。つまり第２のフランジ部２２の上端は、連通管１０の下端開口１５より上方に配置されている。
【００３６】
これにより、回転機構１２によって回転体１３が回転し、下端開口１５の下方に回転体１３の穴部１７が位置すると、連通管１０内で生じる電解促進錠剤１１の粉の多くは、電解促進錠剤１１と共に穴部１７に入るが、穴部１７に入らなかった電解促進錠剤１１の粉も、第２のフランジ部２２によって、軸受け２１側へ落下することを抑制できる。
【００３７】
また、連通管１０の外面に接触部２３を備え、接触部２３は、回転体１３の回転軸が水平方向から傾くと第１のフランジ部１９の内面または第２のフランジ部２２の内面と接触する。接触部２３の一例は、突起である。第１のフランジ部１９と対向した連通管１０の外面には、第１のフランジ部１９に向かって突出した突起を備えている。この接触部２３である突起は、回転体１３の回転軸が水平方向から傾くと第１のフランジ部１９の内面または第２のフランジ部２２の内面と接触するので、回転体１３の回転軸を水平方向に保持することが出来る。
【００３８】
これにより、回転体１３が傾くことを抑制できるので、回転機構１２によって回転体１３が回転し、下端開口１５の下方に回転体１３の穴部１７が位置すると、連通管１０内で生じる電解促進錠剤１１の粉の多くは、更に電解促進錠剤１１と共に穴部に入り易くなる。
【産業上の利用可能性】
【００３９】
電解促進錠剤を投入して電解水を生成する目的に使用される電気機器などに用いられる電解水生成装置として有用である。
【符号の説明】
【００４０】
１    電解水生成装置
２    ケース
３    水槽
４    電解ユニット
５    給水タンク部
６    錠剤投入機構
７    第１の電極
８    タンク保持部
９    タンク
１０    連通管
１１    電解促進錠剤
１２    回転機構
１３    回転体
１４    上端開口
１５    下端開口
１６    回転軸
１７    穴部
１１Ａ    １つ目の電解促進錠剤
１１Ｂ    ２つ目の電解促進錠剤
１１Ｃ    ３つ目の電解促進錠剤
１８    周面
１９    第１のフランジ部
２０    軸
２１    軸受け
２２    第２のフランジ部
２３    接触部
２４    外周縁
１００    電解ユニット
１０１    水槽
１０２    給水タンク
１０３    電解促進錠剤
１０４    投入機構部
１０５    カートリッジ部
１０６    可動案内部材部
１０７    可動部材
１０８    空洞部
【図１】
2017170316.tif 000003
【図２】
2017170316.tif 000004
【図３】
2017170316.tif 000005
【図４】
2017170316.tif 000006
【図５】
2017170316.tif 000007
【図６】
2017170316.tif 000008
【図７】
2017170316.tif 000009
【図８】
2017170316.tif 000010
【図９】
2017170316.tif 000011
【図１０】
2017170316.tif 000012
【図１１】
2017170316.tif 000013